(57)【特許請求の範囲】
【請求項１】
２つの空間の境界に設けられる建具であって、
前記２つの空間を連通する開口を形成する枠体と、
前記開口を開閉自在に前記枠体に設けられた障子と、
前記枠体に設けられ、前記障子の上部に、前記２つの空間のうちの一方の空間側から当接される水密部材と、
を有し、
前記枠体は、
前記開口の上方に位置する上枠と、見付け方向において前記開口の両側に位置する縦枠との、前記２つの空間のうちの他方の空間に臨む部位に長手方向に沿って設けられ、前記他方の空間に向かって開放された、前記水密部材が嵌合される水密部材嵌合部と、
前記水密部材嵌合部の上方に、前記他方の空間に臨む部位より前記他方の空間側に突出する突出部と、
を有し、
前記縦枠の前記水密材嵌合部の上縁は、見付け方向における前記上枠の両端部より内側にて当該上枠の前記水密材嵌合部の下面に当接され、前記上枠の前記水密材嵌合部は、前記縦枠の前記水密材嵌合部が当接されている部位より外側にて下方に開放されていることを特徴とする建具。
【請求項２】
請求項１に記載の建具であって、
前記突出部と前記水密部材とが互いに離間していることを特徴とする建具。
【請求項３】
請求項１または請求項２に記載の建具であって、
前記水密部材嵌合部の上方には、前記一方の空間側から前記他方向の空間側に向かって漸次高さが低くなる傾斜部が設けられていることを特徴とする建具。
【請求項４】
請求項３に記載の建具であって、
前記傾斜部は、前記突出部の先端まで続いていることを特徴とする建具。
【請求項５】
請求項１乃至請求項４のいずれかに記載の建具であって、
前記突出部は、前記他方の空間に臨む部位より前記他方の空間側に、鉛直面を有する鉛直部を有していることを特徴とする建具。
【請求項６】
請求項１乃至請求項５のいずれかに記載の建具であって、
前記水密部材は、前記障子が当接されて弾性変形することにより前記障子と密着し、
前記突出部は、前記水密部材の弾性変形を妨げない突出量であることを特徴とする建具。
【発明の詳細な説明】
【技術分野】
【０００１】
本発明は、２つの空間の境界に設けられる建具に関する。
【背景技術】
【０００２】
２つの空間の境界に設けられる建具としては、例えば、枠体が形成する開口を閉止自在な障子の上部に、枠体に設けられた水密部材が当接されて、障子の上部の水密性を確保している建具が知られている（例えば、特許文献１参照）。このような建具は、水密部材を嵌合するための溝状をなす嵌合部が、枠体の上部に設けられている。この溝状をなす嵌合部は、開放された部位が障子側に向くように形成されており、水密部材は、嵌合部に障子側から嵌合されている。
【先行技術文献】
【特許文献】
【０００３】
【特許文献１】特開２００８−１４４４３８号公報
【発明の概要】
【発明が解決しようとする課題】
【０００４】
上記のような建具は、水密部材を嵌合部に嵌合しやすくするために、嵌合部のサイズは水密部材の嵌合される部位のサイズより大きく形成されている。このため、枠体の水密部材より上側の水分が枠体を伝って下方に流れると、嵌合部と水密部材との隙間から嵌合部内に浸入する場合がある。開閉に伴う振動や嵌合部内に水分が浸入した状態にて障子が開閉されることにより水密部材が押圧されたり押圧が解除されたりすると、水密部材と嵌合部とがポンプのように作用して、嵌合部材内の水分が嵌合部外に排出されて水密性が確保されない虞があるという課題がある。
【０００５】
本発明は、かかる課題に鑑みてなされたものであり、その目的とするところは、建具の上部におけるより高い水密性を備えた建具を提供することにある。
【課題を解決するための手段】
【０００６】
かかる目的を達成するために本発明の建具は、２つの空間の境界に設けられる建具であって、前記２つの空間を連通する開口を形成する枠体と、前記開口を開閉自在に前記枠体に設けられた障子と、前記枠体に設けられ、前記障子の上部に、前記２つの空間のうちの一方の空間側から当接される水密部材と、を有し、前記枠体は、  前記開口の上方に位置する上枠と、見付け方向において前記開口の両側に位置する縦枠との、前記２つの空間のうちの他方の空間に臨む部位に長手方向に沿って設けられ、前記他方の空間に向かって開放された、前記水密部材が嵌合される水密部材嵌合部と、前記水密部材嵌合部の上方に、前記他方の空間に臨む部位より前記他方の空間側に突出する突出部と、を有し、前記縦枠の前記水密材嵌合部の上縁は、見付け方向における前記上枠の両端部より内側にて当該上枠の前記水密材嵌合部の下面に当接され、前記上枠の前記水密材嵌合部は、前記縦枠の前記水密材嵌合部が当接されている部位より外側にて下方に開放されていることを特徴とする建具である。
【０００７】
このような建具によれば、枠体の水密部材嵌合部の上方に、他方の空間に臨む部位より他方の空間側に突出する突出部を有しているので、突出部により水密部材と水密部材嵌合部との間が覆われている。このため、たとえ枠体の水密部材嵌合部より上方に水等があったとしても、水密部材と水密部材嵌合部との間、及び、水密部材嵌合部に水等は浸入しにくいので、建具の上部において、より高い水密性を備えることが可能である。このとき、水密部材と水密部材嵌合部との間を水等が浸入可能な方向と、突出部と水密部材との間を水等が浸入可能な方向とが相違しているので、水等がより浸入しにくい建具を提供することが可能である。
また、縦枠に設けられた水密部材嵌合部の上縁が、上枠の水密材嵌合部の下面に当接されるとともに、縦枠が当接されている部位より外側にて上枠の水密部材嵌合部が下方に開放されている。このため、たとえ、上枠の水密材嵌合部に水等が浸入したとしても、その水等を上枠の水密部材嵌合部が下方に開放されている部位から縦枠の水密部材嵌合部より外周側、すなわち縦枠に設けられた水密部材より外周側に排出させることが可能である。
【０００８】
かかる建具であって、前記突出部と前記水密部材とは互いに離間していることが望ましい。このような建具によれば、前記突出部と前記水密部材とが互いに離間しているので、前記水密部材嵌合部に前記水密部材を挿入する際に、挿入が硬くなることがなく作業性が良好な建具を提供することが可能である。
【０００９】
かかる建具であって、前記水密部材嵌合部の上方には、前記一方の空間側から前記他方向の空間側に向かって漸次高さが低くなる傾斜が設けられていることが望ましい。
【００１０】
このような建具によれば、水密部材嵌合部の上方が、一方の空間側から他方向の空間側に向かって漸次高さが低くなるように傾斜しているので、水密部材嵌合部上に水等が溜まることを防止することが可能である。
【００１１】
かかる建具であって、前記傾斜は、前記突出部の先端まで続いていることが望ましい。
【００１２】
このような建具によれば、開口の縁から中央に向かって漸次高さが低くなるように傾斜が水密部材嵌合部の上方から突出部の先端まで続いているので、水密部材嵌合部上に水等が溜まることを防止するばかりでなく、そのまま突出部より先方に排出させることが可能である。このとき、水が流れる方向は、水密部材嵌合部に浸入可能な方向と反対なので、水密部材嵌合部への水等の浸入をより抑えることが可能である。
【００１３】
かかる建具であって、前記突出部は、前記他方の空間に臨む部位より前記他方の空間側に、鉛直面を有する鉛直部を有していることが望ましい。
【００１４】
このような建具によれば、突出部が他方の空間に臨む部位より他方の空間側に有する鉛直部を有しているので、水密部材嵌合部側から突出部に移動した水等は、突出部を越える際に、急激に水密部材側に落下するので、落下の勢いにより、鉛直部より障子側に水等を移動させることが可能である。
【００１５】
かかる建具であって、前記水密部材は、前記障子が当接されて弾性変形することにより前記障子と密着し、前記突出部は、前記水密部材の弾性変形を妨げない突出量であることが望ましい。
【００１６】
このような建具によれば、突出部は、障子が当接されたときの水密部材の弾性変形を妨げない突出量なので、突出部を備えて水密性を確保しつつも、水密部材と障子とを確実に密着させることが可能である。このため、より高い水密性を備えることが可能である。
【発明の効果】
【００１９】
本発明によれば、建具の上部におけるより高い水密性を備えた建具を提供することが可能である。
【図面の簡単な説明】
【００２０】
【図１】本実施形態に係る建具の外観図である。
【図２】本実施形態に係る建具の縦断面図である。
【図３】本実施形態に係る建具の横断面図である。
【図４】上枠の上シール材嵌合部に設けられた切欠部を説明するための斜視図である。
【図５】上シール材嵌合部と縦シール材嵌合部との接合部を下方から見た図である。
【図６】本発明の変形例を示す縦断面図である。
【発明を実施するための形態】
【００２１】
以下、本発明の一実施形態に係る建具について図面を参照して説明する。
【００２２】
本実施形態の建具１は、図１〜図３に示すように、２つの空間としての浴室と脱衣室との境界に設けられ、浴室と脱衣室とを仕切る障子としての折戸２２を備えた浴室用の建具１を例に挙げて説明する。
【００２３】
以下の説明においては、建物等に取り付けられた状態の浴室用の建具１を浴室側から見たときに、上下となる方向を上下方向、左右となる方向を左右方向または見付け方向、室内外方向である奥行き方向を見込み方向として示す。また、浴室用の建具１が備える各部材は、単体として説明する場合であっても、建物等に取り付けられた状態で上下方向、見付け方向、見込み方向等となる方向にて方向を特定して説明する。
【００２４】
本実施形態の建具１は、枠体１３と、枠体１３内に装着され、蝶番等で折り畳み自在に連結された障子としての２枚の扉１４、１５を有する折戸２２と、を有している。本実施形態では、図１、図３において右側に位置する扉が吊元扉１４をなし、左側に位置する扉が移動扉１５をなしている。
【００２５】
吊元扉１４及び移動扉１５はそれぞれ、透光性を有する樹脂製やガラス製の面材２３を有している。吊元扉１４は、面材２３を囲むように上框１７及び下框１８の両端部側に吊元框２１と縦中框２０とが配置されて、吊元框２１と縦中框２０側から上框１７、下框１８側に進入するビスにて螺着されて矩形状に框組みされている。また、移動扉１５は面材２３を囲むように上框１７及び下框１８の両端部側に戸先框１９と縦中框２０とが配置されて、戸先框１９と縦中框２０側から上框１７、下框１８側に進入するビスにて螺着されて矩形状に框組みされている。
【００２６】
枠体１３は、浴室と脱衣室とを連通する開口１３ａを形成し、開口１３ａの上方に位置する上枠１０と、開口１３ａの下側に位置する下枠１１と、開口１３ａの見付け方向における両側に配置される左右の縦枠１２とが矩形状に枠組みされている。上枠１０、下枠１１、左右の縦枠１２は、いずれも押出成形部材であり、矩形状に形成された際に開口１３ａの内周側に水密部材としてのシール材３０、３１、３２が開口１３ａを囲むように設けられている。
【００２７】
シール材３０、３１、３２は、折戸２２を閉じたときに、吊元扉１４及び移動扉１５の上框１７、戸先框１９と縦中框２０と吊元框２１の上部、及び、戸先框１９と縦中框２０と吊元框２１の上端部に取り付けられた上部キャップ（図示せず）に上シール材３０が、吊元扉１４及び移動扉１５の下框１８、戸先框１９と縦中框２０と吊元框２１の下部、及び、戸先框１９と縦中框２０と吊元框２１の下端部に取り付けられた下部キャップ（図示せず）に下シール材３２が、吊元扉１４の吊元框２１と吊元框２１に取り付けられた上部キャップ及び下部キャップと、移動扉１５の戸先框１９と戸先框１９に取り付けられた上部キャップ及び下部キャップとに縦シール材３１が、それぞれ脱衣室側から当接されて密着するように構成されている。ここで、シール材３０、３１、３２が折戸２２に当接される側となる、２つの空間のうちの一方の空間は、脱衣室に相当する。
【００２８】
上枠１０は、見込み方向に沿って配置され板状なす上枠本体部１０ａと、上枠本体部１０ａから開口１３ａの中央側に向かって延出された上枠延出部１０ｂと、上枠延出部１０ｂの先端側に設けられて上シール材３０が嵌合される水密部材嵌合部としての上シール材嵌合部１０ｃと、を有している。
【００２９】
上枠延出部１０ｂは、上枠１０の長手方向に沿って上枠本体部１０ａから垂設された板状の部位であり、上シール材嵌合部１０ｃは、上枠延出部１０ｂの浴室に臨む面に設けられている。
【００３０】
上シール材嵌合部１０ｃは、浴室側に向かって開放された溝状の部位であり、溝の側壁を形成する上壁部１０ｄと下壁部１０ｅとを有している。下壁部１０ｅは、上枠延出部１０ｂの下端からほぼ水平をなすように、浴室側に延出されており、浴室側の縁部が上方に延出されて、嵌合される上シール材３０と係合する下係合部１０ｆをなしている。
【００３１】
上壁部１０ｄは、脱衣室側から浴室側に向かって漸次高さが低くなるような傾斜を有する傾斜部であり、下壁部１０ｅの下係合部１０ｆと対向する位置には下方に向かって延出された上係合部１０ｈが設けられている。また、上係合部１０ｈと上壁部１０ｄとの境界部分には、ほぼ水平方向に突出された突出部１０ｉが設けられている。また、下壁部１０ｅ及び下係合部１０ｆは、見付け方向における両端部が切り欠かれて、下方に開放された切欠部１０ｊをなしている。ここで、上係合部１０ｈ及び下係合部１０ｆの浴室側の面が、他方の空間としての浴室に臨む部位に相当する。
【００３２】
縦枠１２は、見込み方向に沿って配置され板状なす縦枠本体部１２ａと、縦枠本体部１２ａから開口１３ａの中央側に向かって延出された縦枠延出部１２ｂと、縦枠延出部１２ｂの先端に設けられて縦シール材３１が嵌合される水密部材嵌合部としての縦シール材嵌合部１２ｃとが設けられている。
【００３３】
縦枠延出部１２ｂは、縦枠１２の長手方向に沿って縦枠本体部１２ａから開口１３ａの中央側に延出された板状の部位であり、縦シール材嵌合部１２ｃは、縦枠延出部１２ｂの浴室に臨む面に設けられている。縦シール材嵌合部１２ｃは、浴室側に向かって開放された溝状をなす部位であり、溝の側壁を形成し開口１３ａの内側に設けられた内壁部１２ｄと外側に設けられた外壁部１２ｅとを有している。内壁部１２ｄと外壁部１２ｅとは、縦枠延出部１２ｂから見込み方向に沿って浴室側に延出されており、内壁部１２ｄと外壁部１２ｅとの先端には、互いに対向する側に向かって突出して、嵌合される縦シール材３１を保持するための突起１２ｆがそれぞれ設けられている。
【００３４】
上枠１０に取り付けられる上シール材３０、及び、縦枠１２に取り付けられる縦シール材３１は、いずれも弾性変形可能な樹脂製の押出成形部材であり、上枠１０及び縦枠１２の長手方向の全域に設けられている。
【００３５】
上シール材３０は、上シール材嵌合部１０ｃに嵌合される上嵌合片３０ａと、上嵌合片３０ａが嵌合された際に、上嵌合片３０ａとともに、上係合部１０ｈ及び下係合部１０ｆを挟むように位置する上シール材基部３０ｂと、上嵌合片３０ａと上シール材基部３０ｂとを連結する上シール材連結部３０ｆと、上シール材基部３０ｂの下端から浴室側に延出された下ヒレ部３０ｃと、シール材基部３０ｂの上端から浴室側に延出された上ヒレ部３０ｄと、下ヒレ部３０ｃの先端から、上ヒレ部３０ｄ側に屈曲して延出され折戸２２に当接される上当接部３０ｅと、を有している。
【００３６】
上シール材３０は、折戸２２が当接された場合には、主に下ヒレ部３０ｃ、上ヒレ部３０ｄ、上当接部３０ｅが弾性変形して上当接部３０ｅの先端が、上ヒレ部３０ｄの先端を覆うように係合して、上シール材３０の上シール材基部３０ｂ、下ヒレ部３０ｃ、上ヒレ部３０ｄ、上当接部３０ｅが、ほぼ矩形状をなすように折戸２２に押圧されるように構成されている。そして、下ヒレ部３０ｃ、上ヒレ部３０ｄ、上当接部３０ｅは弾性変形しやすいように、軟質樹脂にて形成されており、上嵌合片３０ａと上シール材基部３０ｂとは軟質樹脂より硬いが、ある程度までの変形を許容する硬質樹脂にて形成されている。尚、図２、図３、図６においては、硬質樹脂の部位を濃いグレーにて、軟質樹脂の部位を淡いグレーにて示している。
【００３７】
また、浴室側から押圧される上ヒレ部３０ｄの弾性変形を妨げないように、上シール材３０の上に位置する突出部１０ｉは、上シール材嵌合部１０ｃに嵌合された上シール材３０のうち弾性変形しにくい上シール材基部３０ｂより脱衣室側に、先端が位置するように構成されている。すなわち、折戸２２が当接されたときの上シール材３０の弾性変形を妨げない突出量は、弾性変形しにくい硬質樹脂にて形成された部位である上シール材基部３０ｂの見込み方向の幅より小さいことが望ましい。また、上シール材３０を上シール材嵌合部１０ｃに嵌合しやすいように、突出部１０ｉと上シール材３０とは互いに離間している。
【００３８】
縦シール材３１は、縦シール材嵌合部１２ｃに嵌合される縦嵌合片３１ａと、縦嵌合片３１ａが嵌合された際に、縦嵌合片３１ａとともに一対の突起１２ｆを挟むように位置する縦シール材基部３１ｂと、縦嵌合片３１ａと縦シール材基部３１ｂとを連結する縦シール材連結部３１ｆと、縦シール材基部３１ｂにおける開口１３ａの中央側の端から浴室側に延出された縦ヒレ部３１ｃと縦ヒレ部３１ｃの先端から、屈曲可能に延出され折戸２２に当接される縦当接部３１ｄと、を有している。縦シール材３１は、折戸２２が当接された場合には、縦当接部３１ｄと縦ヒレ部３１ｃとの間にて屈曲するとともに弾性変形して、吊元扉１４の吊元框２１及び移動扉１５の戸先框１９に沿うように当接されて押圧されている。
【００３９】
そして、上シール材嵌合部１０ｃに上シール材３０が取り付けられた上枠１０と、縦シール材嵌合部１２ｃに縦シール材３１が取り付けられた縦枠１２とは、縦枠１２の縦枠延出部１２ｂと縦シール材嵌合部１２ｃをなす外壁部１２ｅ、内壁部１２ｄ、及び、突起１２ｆが、縦枠１２の上端部側にて切除されており、切除された部位に上枠１０の端部が配置されるとともに、上枠１０の両縁が縦枠本体部１２ａに当接されて固定されている。
【００４０】
このとき、上シール材嵌合部１０ｃに上嵌合片３０ａが嵌合された状態では、上枠１０の上係合部１０ｈより浴室側に突出された突出部１０ｉが、上係合部１０ｈと上シール材基部３０ｂとが対向する上枠１０と上シール材３０との境界部分を覆うように配置されている。
【００４１】
また、縦枠１２の縦シール材嵌合部１２ｃの上縁は、見付け方向における上枠１０の両端部より内側、すなわち開口１３ａの中央側にて、上枠１０の上シール材嵌合部１０ｃの下面、すなわち下壁部１０ｅの下面に当接され、上枠１０の上シール材嵌合部１０ｃは、縦枠１２の縦シール材嵌合部１２ｃが当接されている部位より外側に位置する下壁部１０ｅと下係合部１０ｆとが切りかかれた切欠部１０ｊを有しており、上シール材嵌合部１０ｃは切欠部１０ｊにて下方に開放されている。ここで、切欠き後の下壁部１０ｅを縦枠延出部１２ｂの浴室に臨む面と略同一の位置、あるいは縦枠延出部１２ｂの浴室に臨む面より浴室側に突出させて縦枠１２の端面を浴室側に露出させないことで、上枠１０と縦枠１２の当接部分からの水等の侵入を防ぐことができる。
【００４２】
本実施形態の建具１によれば、枠体１３が有する上枠１０の上シール材嵌合部１０ｃの上方に、上係合部１０ｈの浴室側の面より浴室側に突出する突出部１０ｉを有しているので、突出部１０ｉにより上シール材３０と上シール材嵌合部１０ｃとの間が覆われている。このため、たとえ上枠１０の上シール材嵌合部１０ｃより上方に水等があったとしても、上シール材３０と上シール材嵌合部１０ｃとの間、及び、上シール材嵌合部１０ｃに水等が浸入しにくいので、建具１の上部において、より高い水密性を備えることが可能である。このとき、上シール材３０と上シール材嵌合部１０ｃとの間を水等が浸入可能な方向と、突出部１０ｉと上シール材３０との間を水等が浸入可能な方向とが相違しているので、水等がより浸入しにくい建具１を提供することが可能である。
【００４３】
また、上シール材嵌合部１０ｃの上部が、脱衣室側から浴室側に向かって漸次高さが低くなるように傾斜しているので、上シール材嵌合部１０ｃ上に水等が溜まることを防止することが可能である。
【００４４】
また、上枠１０が有する突出部１０ｉは、折戸２２が当接されたときの上シール材３０の弾性変形を妨げない突出量に形成されているので、突出部１０ｉを備えて水密性を確保しつつも、上シール材３０と折戸２２とを確実に密着させることが可能である。このため、より高い水密性を備えることが可能である。また、突出部１０ｉと上シール材３０とが互いに離間しているので、上シール材嵌合部１０ｃに上シール材３０を挿入する際に、突出部１０ｉにより上シール材３０の挿入が妨げられることはない。このため、上シール材３０をスムーズに嵌合することが可能な作業性に優れた建具１を提供することが可能である。
【００４５】
また、縦枠１２に設けられた縦シール材嵌合部１２ｃの上縁が、上枠１０の下壁部１０ｅの下面に当接されるとともに、縦枠１２が当接されている部位より見付け方向において外側、すなわち、縦シール材３１の外側に上枠１０の切欠部１０ｊが設けられて上シール材嵌合部１０ｃが下方に開放されているので、たとえ、上枠１０の上シール材嵌合部１０ｃに水等が浸入したとしても、その水等を上枠１０の切欠部１０ｊから縦枠１２の縦シール材嵌合部１２ｃ、すなわち縦枠１２に設けられた縦シール材３１より外周側に排出させることが可能である。
【００４６】
上記実施形態においては、上シール材嵌合部１０ｃの上部が、脱衣室側から浴室側に向かって漸次高さが低くなる傾斜が設けられている例について説明したが、傾斜は必ずしも設けられていなくともよく、例えば図６（ａ）に示すように、ほぼ水平な上壁部１０ｋと繋がって突出部１０ｉが設けられていてもよい。
【００４７】
また、図６（ｂ）に示すように、上壁部１０ｄの傾斜が、突出部１０ｉの先端まで続いていてもよい。この場合には、脱衣室側から浴室側に向かって漸次高さが低くなるような傾斜が上シール材嵌合部１０ｃの上部の上壁部１０ｄから突出部１０ｉの先端まで続いているので、上シール材嵌合部１０ｃ上に水等が溜まることを防止するばかりでなく、そのまま突出部１０ｉより浴室側に排出させることが可能である。このとき、水が流れる方向は、上シール材嵌合部１０ｃに浸入可能な方向と反対なので、水等の上シール材嵌合部１０ｃへの浸入をより確実に抑えることが可能である。
【００４８】
また、傾斜を有する部位および突出部１０ｉは、必ずしも上壁部１０ｄと一体である必要はなく、例えば図６（ｃ）に示すように、傾斜を有する部位及び突出部１０ｉは、上シール材嵌合部１０ｃとは別に、上枠１０に設けられていても良い。
【００４９】
また、図６（ｄ）に示すように、突出部１０ｎが、浴室に臨む部位としての上係合部１０ｈ及び下係合部１０ｆの浴室側の面より浴室側に、ほぼ鉛直な面を有する鉛直部１０ｍを有し、鉛直部１０ｍの下端が、上シール材３０に近接していてもよい。この場合には、上シール材嵌合部１０ｃ側から突出部１０ｎに移動した水等は、突出部１０ｎの鉛直部１０ｍを越える際に、急激に上シール材３０側に落下するので、落下の勢いにより、鉛直部１０ｍより折戸２２側に水等を移動させることが可能である。
【００５０】
また、上記実施形態では折戸を備えた建具について説明したがこれに限ることなく、たとえば、引き違いタイプの建具や、片引きタイプ、開き戸、３枚引戸等の建具であっても構わない。
【００５１】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５２】
１  建具、１０  上枠、１０ｃ  上シール材嵌合部、１０ｄ  上壁部、
１０ｅ  下壁部、１０ｆ  下係合部、１０ｈ  上係合部、１０ｉ  突出部、
１０ｊ  切欠部、１０ｍ  鉛直部、１０ｎ  突出部、１２  縦枠、
１２ｃ  縦シール材嵌合部、１３  枠体、１３ａ  開口、１４  吊元扉、１５  移動扉、
１７  上框、１９  戸先框、２０  縦中框、２１  吊元框、２２  折戸、
３０  上シール材、３０ｂ  上シール材基部、３０ｅ  上当接部、３１縦シール材
【図１】
0005718156.tif 000002
【図４】
0005718156.tif 000003
【図５】
0005718156.tif 000004
【図２】
0005718156.tif 000005
【図３】
0005718156.tif 000006
【図６】
0005718156.tif 000007